(57)【要約】【課題】全体の見栄えを綺麗にし、消費者の購買意欲を引き出せるようにすることと、合板の嵌合箇所で木目が中断しないこと。【解決手段】一端にオスホゾ段が設けてあり、他端にメスホゾ段が設けてあるプレートと、プレートに緊密に貼り付けた薄片層とにより構成される合板において、前記プレートの外面全面とオスホゾ段に亘る範囲に薄片層を貼り付けた。【選択図】図４
0003132017.tif 000002
【実用新案登録請求の範囲】
【請求項１】
一端にオスホゾ段が設けてあり、他端にメスホゾ段が設けてあるプレートと、該プレートの外面に貼り付けた薄片層とにより構成され、前記薄片層の上面に皺が設けてある合板において、
前記薄片層が前記プレートのオスホゾ段まで伸びるようにプレートの外面に貼り付けられていることを特徴とする、
合板。
【請求項２】
前記薄片層は、上面が天然木材から形成される木目を持ち、下層に不織布層が粘着してあることを特徴とする、請求項１に記載の合板。
【請求項３】
前記薄片層は、上面が人造の木目を有し、下層に不織布層が粘着してあることを特徴とする、請求項１に記載の合板。
【考案の詳細な説明】
【技術分野】
【０００１】
本考案は合板に係り、特に、プレートのオスホゾ段まで伸びるように、薄片層がプレート外面に貼り付けられて製品価値が増加し、且つ合板同士を嵌合させて結合したときに、合板の結合箇所を完璧に連接できる合板に関するものである。
【背景技術】
【０００２】
現在、リビング環境を綺麗にし、且つ家庭生活をもっと快適にするために、家の内部を内装することが一般的になった。しかし、内装を実施するときに、合板を使用することはやむ得ないことになる。
【０００３】
図１に示すように従来の合板９は、主に、プレート９１に木目等が表された薄片層９２を緊密に貼り付けて構成されたものである。プレート９１は、複数枚のプレートを粘着し加圧して構成されたものである。プレート９１の両面に薄片層９２を貼り付けて合板９が構成される。
そして図２と図３に示すように、合板９の一端の上下面をそれぞれ切削してオスホゾ段９３が形成され、また、前記合板９の他端の中央を切削して前記オスホゾ段９３と嵌合可能なメスホゾ段９４が形成される。
前記オスホゾ段９３と前記メスホゾ段９４との嵌合により、複数の合板９を結合することができる。
【考案の開示】
【考案が解決しようとする課題】
【０００４】
しかしながら、従来の合板には次のような欠点があった。
（イ）合板９のオスホゾ段９３には薄片層９２が貼り付けられていないので、合板全体の見栄えが悪く、消費者の購買意欲を引き出すことができない。
【０００５】
（ロ）合板９のオスホゾ段９３には薄片層９２が貼り付けられていないので、複数の合板９を嵌合して結合したときに、合板９の結合箇所で木目が中断することがあった。
【課題を解決するための手段】
【０００６】
本考案は上記した従来の合板の欠点を解決することを目的とするものである。
本願の第１考案は、主に、プレートに薄片層を緊密に貼り付けて構成されたものであり、前記プレートは、一端にオスホゾ段が設けてあり、他端にメスホゾ段が設けてあり、プレートの上面に薄片層が設けてある合板において、前記薄片層は、前記プレートのオスホゾ段まで伸びるように、前記プレートの外面に貼り付けられたことを特徴とする合板であることを要旨としている。
【０００７】
本願の第２考案では、前記薄片層は、上面が天然木材から形成される木目を持ち、下層に不織布層が粘着してあることを特徴とする前記第１考案に記載の合板であることを要旨としている。
【０００８】
本願の第３考案では、前記薄片層は、上面が人造の木目を有し、下層に不織布層が粘着してあることを特徴とする前記第１考案に記載の合板であることを要旨としている。
【考案の効果】
【０００９】
本考案の合板によれば、次のような効果がある。
（イ）本考案に係る合板はオスホゾ段にも薄片層が貼り付けてあるので、合板全体の見栄えが綺麗になり、消費者の購買意欲を引き出すことができる。
【００１０】
（ロ）本考案に係る合板はオスホゾ段にも薄片層が貼り付けてあるので、複数の合板を嵌合して結合したときに、合板の結合箇所で木目が中断しなくなり、全体の見栄えが綺麗になる。
【考案を実施するための最良の形態】
【００１１】
以下に添付した図面を参照しながら、本考案の好適な実施の形態について詳しく説明する。
【００１２】
まず、図４と図５を参照する。
図４は本考案の側面断面図であり、図５は本考案の一部を拡大した側面断面図である。
本考案の合板１は、主に、プレート１１に薄片層１２を緊密に貼り付けて構成されたものである。
【００１３】
前記プレート１１は、複数枚のプレートを粘着し加圧して構成されたものである。
そして前記プレート１１の一端の上下面をそれぞれ切削してオスホゾ段１３が形成される。
また、前記プレート１１の他端の中央を切削して前記オスホゾ段１３と嵌合可能なメスホゾ段１４が形成される。
前記オスホゾ段１３と前記メスホゾ段１４との嵌合により、複数のプレート１１を結合することができるようになっている。
【００１４】
前記薄片層１２は、上面が天然木材から形成される木目を有していてもよいし、或いは上面が人造の木目として形成してもよい。
何れの場合であっても、薄片層１２の下層に不織布層１２１が粘着してある。
【００１５】
本考案に係る合板は、薄片層１２がプレート１１のオスホゾ段１３まで伸びるように、プレート１１の外面に貼り付けられている。
そうすると、合板全体としての見栄えが綺麗になって、製品の価値が向上する。
さらに、複数の合板１を嵌合して結合したときに、合板１の結合箇所で薄片層１２の木目が中断しなくなって、木目に連続性を付与できる。
【００１６】
次に、図４と図５を参照しながら本考案の合板１の作製方法を詳細に説明する。
まず、オスホゾ段１３とメスホゾ段１４を予め形成したプレート１１の外面と、薄片層１２の下面とにそれぞれ粘着材を塗布して、プレート１１の外面に薄片層１２を貼り付ける。
粘着材は感熱性、非感熱性を問わず公知の接着剤を使用できる。
薄片層１２は、少なくともプレート１１の外面全面とオスホゾ段１２との間を連続して被覆するように貼り付けるものとする。
つぎにプレート１１の外面を下に向けて、プレート１１を公知の熱加圧チェンバーに入れて加圧する。この際、プレート１１のオスホゾ段１３が熱加圧チェンバーのエッジに位置するように、プレート１１をオスホゾ段１３が設けられた一端に移動してオスホゾ段１３を覆う薄片層１２もしっかりと加圧してする。
その後に、プレート１１からはみ出た余分の薄片層１２をカットしてプレート１１の外面全面とオスホゾ段１２の範囲に亘って薄片層１２を貼り付けて、全体にペンキを塗布した如くの合板１が完成する。
【図面の簡単な説明】
【００１７】
【図１】従来の合板の側面断面図１である。
【図２】従来の合板の側面断面図２である。
【図３】従来の合板の側面断面図３である。
【図４】本考案に係る合板の側面断面図である。
【図５】本考案に係る合板の一部を拡大した側面断面図である。
【符号の説明】
【００１８】
１        合板  
１１      プレート
１２      薄片層           
１２１    不織布層
１３      オスホゾ段                
１４      メスホゾ段
９        合板             
９１      プレート
９２      薄片層           
９３      オスホゾ段
９４      メスホゾ段
【図１】
0003132017.tif 000003
【図２】
0003132017.tif 000004
【図３】
0003132017.tif 000005
【図４】
0003132017.tif 000006
【図５】
0003132017.tif 000007